(57)【要約】  この発明は歯科補綴部材製造装置に係り、それにおいて歯科補綴部材がインプラント（４０）とそのインプラント（４０）に対して形状互換性のアバットメント（１０）を備えていて、そのアバットメント上にあるいはアバットメントに接してＣＡＭ支援、高速プロトタイピング、あるいはプレス技術によって製造された歯科材料製、特にセラミックおよび／または樹脂製の歯構造（２８）が固定可能であり、その際前記アバットメントが解除可能な結合、特にネジ結合（４４）を介して前記インプラント（４０）上に支承され、前記解除可能な結合が回転防止機能（５０）を備えてなり、またアバットメント（１０）と歯構造（２８）の間に回転防止機能（溝２２）が形成されてなり、さらにアバットメントの選択装置（６６）を備え、その選択装置を介してアバットメント（１０）を、場合によってその高さを所与の数値まで患者固有に短縮した後、歯科補綴部材の製造のために選定可能であり、また前記アバットメント（１０）の短縮のために加工工具、特にフライス工具、あるいはＣＡＭ装置を備えてなる。【選択図】図１０
2017516560.tif 000002
【特許請求の範囲】
【請求項１】
歯科補綴部材がインプラント（４０）とそのインプラント（４０）に対して形状互換性のアバットメント（１０）を備えていて、そのアバットメント上にあるいはアバットメントに接してＣＡＭ支援、高速プロトタイピング、あるいはプレス技術によって製造された歯科材料製、特にセラミックおよび／または樹脂製の歯構造（２８）が固定可能であり、その際前記アバットメントが解除可能な結合、特にネジ結合（４４）を介して前記インプラント（４０）上に支承され、前記解除可能な結合が回転防止機能（５０）を備えてなり、またアバットメント（１０）と歯構造（２８）の間に回転防止機能（溝２２）が形成されてなる、歯科補綴部材製造装置であり、アバットメントの選択装置（６６）を備え、その選択装置を介してアバットメント（１０）を、場合によってその高さを所与の数値まで患者固有に短縮した後、歯科補綴部材の製造のために選定可能であり、また前記アバットメント（１０）の短縮のために加工工具、特にフライス工具、あるいはＣＡＭ装置を備えてなることを特徴とする歯科補綴部材製造装置。
【請求項２】
選択装置（６６）がアバットメント（１０）の管部分（１８）の所与の数の高さ、特に３つの高さ（“Ｌ”，“Ｍ”および“Ｓ”）を呼び出し、その高さを歯構造（２８）に合わせて、特に自動的に、選択することを特徴とする請求項１記載の歯科補綴部材製造装置。
【請求項３】
選択装置（６６）を介し歯科補綴部材に対して直径および型式に関してインプラント（４０）および歯構造（２８）に適合するとともに高さに関しては標準の高さと同等かあるいはそれより大きなものであるアバットメント（１０）を選択可能であり、また選択装置（６６）が選択されたアバットメント（１０）の患者固有の高さに係る形状データをＣＡＭ装置に伝送することを特徴とする請求項１記載の歯科補綴部材製造装置。
【請求項４】
場合によって設定されるアバットメント（１０）の高さの短縮が２ないし５個、好適には２ないし３個の標準化された長さで実施可能であり、従ってアバットメント（１０）は標準化された高さ短縮の後に変更されていない最大高、１つあるいは複数の中間高、あるいは最少高で存在することを特徴とする請求項１または２記載の歯科補綴部材製造装置。
【請求項５】
製造装置が歯構造（２８）を仕上げ加工するためのＣＡＭ装置を備え、作成される歯構造（２８）のデータをそれの外部形状のデータおよび適合するアバットメント（１０）のデータから計算してＣＡＭ装置に伝送することを特徴とする請求項１ないし４のいずれかに記載の歯科補綴部材製造装置。
【請求項６】
傾斜あるいは球形の基準面を有する円筒形の形状からなるスキャン体の支援による口外あるいは口内の３Ｄスキャンに基づいて所要の歯科補綴部材の形状が決定され、そのためにスキャン結果をＣＡＤ装置に伝達し、そのＣＡＤ装置が必要な歯科補綴部材に対する隣接歯の形状に基づいて作成すべき補綴の仮想形状を形成し、それを、場合によって使用者の介入後に、インプラント（４０）とアバットメント（１０）と歯構造（２８）に仮想的に配分することを特徴とする請求項４記載の歯科補綴部材製造装置。
【請求項７】
選択装置（６６）が上部構造としてクラウンあるいはブリッジを有する少なくとも１個の歯科補綴部材のアバットメント（１０）をそれの（特に咬合面に対する）所要の構造高さ状態に相関して選定し、必要なアバットメント（１０）の短縮の度合を上部構造の所要の高さ状態を提供するための所与の標準高に帰還するものとし、そのように予設定された形状データをＣＡＭ装置に伝送することを特徴とする請求項１ないし６のいずれかに記載の歯科補綴部材製造装置。
【請求項８】
アバットメント（１０）が歯科補綴部材の形成のために錐形あるいは円筒状の領域を備え、その領域がその領域の高さの少なくとも一部にわたって延在する少なくとも１本のグルーブを有することを特徴とする請求項１ないし７のいずれかに記載の歯科補綴部材製造装置。
【請求項９】
インプラント（４０）とそのインプラントに対して形状互換性のアバットメント（１０）を備えていて、そのアバットメント上にあるいはアバットメントに接してＣＡＭ支援、高速プロトタイピング、あるいはプレス技術によって製造された歯科材料製の歯構造（２８）が固定可能であり、その際前記アバットメントが解除可能な結合を介して前記インプラント（４０）上に支承され、前記解除可能な結合が回転防止機能（５０）を備えてなり、またアバットメント（１０）と歯構造（２８）の間に回転防止機能が形成されてなる、歯科補綴部材であり、前記回転防止機能がアバットメント（１０）（４，１４，２２）の円筒形あるいは錐形状の領域にその領域の高さの少なくとも一部にわたって延在する少なくとも１本のグルーブ（溝２２）を形成するものであり、その際前記グルーブがアバットメント（１０）（５，１５，２１）の末端円形部あるいは末端傾斜上で終了し、それら末端円形部あるいは末端傾斜が領域の短縮に際しても形状一致式に保持されることを特徴とする歯科補綴部材。
【請求項１０】
アバットメント（１０）の領域が円筒形に形成され、少なくとも１本のグルーブ（溝２２）がアバットメント（１０）の末端傾斜あるいは末端円形部から始まって領域が短縮されていない場合にその領域の高さの少なくとも７０％、好適には少なくとも８０％にわたって延在することを特徴とする請求項９記載の歯科補綴部材。
【請求項１１】
グルーブ（溝２２）あるいは複数グルーブがアバットメント（１０）の鍔部（１４）に向かって傾斜あるいは特に鍔半径をもって終了するか、またはアバットメント（１０）（１０，２０，３０）の鍔部（１４）の円形部あるいは傾斜の手前で終了することを特徴とする請求項９または１０記載の歯科補綴部材。
【請求項１２】
歯科補綴部材が異なって短縮された円筒領域（管部分１８）を有する２個あるいはそれ以上のアバットメント（１０）を備え、その際に各アバットメント（１０）が、特に１つあるいは複数の成形フライス工具またはＣＡＭ装置によって、追加的に形状一致式に所要の長さまで短縮可能であることを特徴とする請求項９ないし１１のいずれかに記載の歯科補綴部材。
【請求項１３】
アバットメント（１０）は、特に短縮の後に、特に粒子状の物質を噴射することによってピーニングし、および／またはアバットメント（１０）がセラミックあるいは樹脂、それか特に金属、特に好適にはチタンあるいはチタン合金からなることを特徴とする請求項９ないし１２のいずれかに記載の歯科補綴部材。
【請求項１４】
アバットメント（１０）は美観上のアバットメント表面を形成するために、特にＴｉＮメッキあるいは陽極酸化処理によって、また特に明るいものおよび歯色に似た色調である、単色あるいは２色の層を備え、および／またはアバットメント（１０）がラフニングされた表面を有することを特徴とする請求項９ないし１３のいずれかに記載の歯科補綴部材。
【請求項１５】
ＣＡＭ装置、高速プロトタイピング装置、またはプレス技術を使用してインプラントとそれに対して形状互換性であるアバットメント（１０）から歯科補綴部材を形成し、その際アバットメント上に歯科材料製の歯構造（２８）を固定し、またアバットメントが回転防止機能を備えた解除可能な結合を介してインプラント（４０）上に支承されるとともに、インプラント（１０）と歯構造（２８）の間に回転防止機能を形成してなる歯科補綴部材の製造方法であり、アバットメントの選択装置（６６）がアバットメント（１０）を、場合によってそのアバットメント（１０）の高さを所与の数値まで短縮した後、歯科補綴部材の製造のために選定し、またその際加工工具、特にフライス工具、あるいはＣＡＭ装置がアバットメント（１０）を所与の高さに短縮することを特徴とする方法。
【発明の詳細な説明】
【技術分野】
【０００１】
この発明は、請求項１前段に記載の歯科補綴部材製造装置、請求項９前段に記載の歯科補綴部材、ならびに請求項１５前段に記載の方法に関する。
【背景技術】
【０００２】
歯科補綴部材はしばしばインプラントの補助によって患者の口内に固定される。その場合通常インプラントが装着後にいわゆるアバットメントを備え、そこで例えばインプラントとアバットメントの相互に向かい合った表面が非平面状に形成されることによってアバットメントが形状一致式にインプラントと結合される。その際固定自体はアバットメントに連通するアバットメントネジによって実施される。そのためアバットメントの上部分が管部分として形成され、その内径がアバットメントネジを収容するために充分なものとされる。アバットメントネジは前記管部分の下側の通常はいくらか錐形である支承領域に接合し、その内径がアバットメントネジのヘッド直径よりも小さくなっているが、その中にアバットメントネジのシャフトおよびネジ山が適合するようにされる。従ってインプラントは、周知の方式によってアバットメントネジのネジ山とネジ結合するための雌ネジ部を備える。
【０００３】
インプラント上へのアバットメントの固定に続いてアバットメント上に歯構造が固定される。そのため、アバットメントの管部分あるいは上部分の外側が通常緩やかな錐形とされ、対応する歯構造の窪み部内に正確に適合する。
【０００４】
その種の解決方式は約３０年前から採用されており；例えば独国特許第３２４１９６３号（Ｃ１）明細書あるいは英国特許出願公開第２１１９２５８号（Ａ）明細書を参照することができる。
【０００５】
しかしながら上記公報の解決方式において、インプラントに対する歯構造の回転位置が全く確定されないかあるいは一義的に確定されないという問題が存在する。その点において改善されていてかつより新しい解決方式が米国特許第５，７８２，９１８号（Ａ１）明細書に開示されており、それによればアバットメントの管部分の平面化の形式の回転止めが示され従ってインプラントと歯構造の間の回転止めが達成される。
【０００６】
その解決方式においてアバットメントの唯１つのサイズあるいは高さのみが提供されており、それは小型の歯構造でも管部分を完全にカバーするような小ささに保持される。
【０００７】
他方、より近年においては異なった大きさのアバットメントを準備することが提案されているが、それが相当な在庫コストとさらに取り違い危険性を生じさせるか、または歯科医師または歯科技工士に大きさ比率および患者の口内状態への適合の作業を任せることによって高コストな後処理負担をもたらす。
【０００８】
しかしながらこのことは、特に歯科医師あるいは歯科技工士が例えば管部分の分離による所要の高さへのアバットメントのサイズ変更に際して、咀嚼動作によって誘引される剪断能力を確実かつ継続的に伝達するために応力伝達のための充分な支承面を使用可能にしなければならないことを時折見逃すことから不適格である。
【０００９】
相当な変更によってさらに製造者に対する補償請求も棄損し、従って歯科医師あるいは歯科技工士が全ての責任リスクを負うことになり、その理由からも勿論不適格であると判断される。
【００１０】
さらに、充分に寸法設定された歯構造とインプラントの間の支承面にもかかわらず個別のケースにおいては材料破壊につながることが有り、そのことは特に複合材料あるいは樹脂製の歯構造に比べてより脆性破壊し易い傾向にあるセラミック製の歯構造において生じやすい。
【００１１】
半径方向外側に延在していて適宜な溝を介して歯構造に嵌合しそれによって所要の回転防止機能を提供するよう設計された棒部材がアバットメントの管部分の上部にしばしば設けられる。その領域が単純に切除されると回転防止機能が提供されなくなり；他方ブリッジの橋脚歯のためにアバットメントを用いる場合、圧力を回避するために例えば１°未満の精密角度の方向調節が必要となり得るため存在している回転防止機能も場合によって棄損する。
【発明の概要】
【発明が解決しようとする課題】
【００１２】
従って本発明の目的は、インプラント、アバットメントおよび歯構造からなる歯科補綴部材に対する要求をより良好に達成するとともに歯科医師あるいは歯科技工士による歯科補綴部材の製造に際して保証された操作性を可能にする、請求項１前段に記載の歯科補綴部材製造装置、請求項９前段に記載の歯科補綴部材、ならびに請求項１５前段に記載の方法を提供することにある。
【課題を解決するための手段】
【００１３】
前記の課題は本発明に従って請求項１，９あるいは１５によって解決される。従属請求項によって好適な追加構成が定義される。
【００１４】
本発明によれば、製造装置がそれ自体にアバットメントの選択装置を備えることが極めて好適である。ＣＡＭ、プレス技術、あるいは高速プロトタイピングによって製造される歯構造は製造装置内にデータとして予め保持され、従って本発明によりアバットメントと歯構造の間の応力伝達面の負荷耐性、歯構造の残留壁厚、角度方向性、高さ状態等を予め設定して製造装置によって固定し得ることが極めて好適である。他方プレス技術を採用することもでき、それについては例えば欧州特許出願公開第１９１５９７２号（Ａ１）明細書を引用することができる。
【００１５】
従って本発明によれば既存のアバットメントの寸法設定に基づいてそのアバットメントが選択可能になるとともに即座にＣＡＭ装置に対して適宜に調節されたアバットメント上の歯構造の支承面の形状を予入力し得ることが好適である。アバットメントの短縮は、特にフライス工具あるいはＣＡＭ装置によって実施することができる。
【００１６】
好適な構成形態によれば、唯１個のみのアバットメントで充分となり、それをＣＡＭ装置によってあるいはＣＡＭ装置の制御によって独立したフライス工具を介して患者固有の高さに短縮することができる。それによって切除による短縮の問題点、特に手動の切除による短縮の問題点を容易に回避することができ；例えば本発明の好適な構成形態によってアバットメントの管部分の上端上に自動的な短縮を通じて斜面あるいは円形を設けることができ、従って歯構造の内角上の点的な緊張によって発生するセラミック製歯構造の脆性破壊の現象を確実に防止することができる。
【００１７】
本発明の好適な構成形態によれば、ここで管部分とも呼称されるアバットメントの上部領域の略全高にわたって垂直に延在する１本あるいは複数の溝を設ける。この回転防止機能の構造は、好適な構成形態に従って管部分の高さが短縮される場合においても嵌合すると言う利点を有する。さらに、棒部材の設置によって歯構造の半径方向内側面内の溝／バネ原理に従って本発明に係る回転防止機能が所要の信頼性をもって保証される。
【００１８】
他方、本発明に係る歯科補綴部材をブリッジとして形成する場合は追加的な回転防止機能は不要であるばかりでなくむしろ障害となり、その場合は単純にＣＡＭ装置によって該当する棒部材が排除されるかあるいは作成しないようにされ、従って緊張無きブリッジの固定を可能にするための所要の回転可能性が提供される。
【００１９】
本発明によって歯構造とアバットメントの間の整合の極めて高い精度を達成可能であることは、特にアバットメントに対する歯科補綴部材の弾力性を誘引するように作用する適宜な接着結合の形成を阻害するものではない。
【００２０】
本発明に係るＣＡＭ加工によってむしろ所要の接着間隙を例えば５０μｍの極めて高い精度で形成することができる。
【００２１】
本発明によれば、従来アバットメントの高さ調整に際して発生していた障害がいわば自動的に抑制されることが極めて好適である。フライス加工によって曲線および円形が、負荷工学的に限定的に存在可能であるように、自動的に提供される。間違った支承面の切削および縮小も、それぞれ対応する歯構造に適合したアバットメントの取り違えと同様に排除される。ラフニング等の後処理は不要であり；むしろＣＡＭ加工の枠内において例えばアバットメントの層化およびそれに伴った所要の色付けを任意の適宜な方式によって実施することができるが、その層化に際して粗度を必要に応じて適宜調節可能であることが理解される。
【００２２】
アバットメントの上部領域の短縮は任意の適宜な方式によって標準的に実施することができ、従って歯構造の内面の形成を標準的に行うことができる。
【００２３】
その際回転防止機能として前述したインプラントの上部領域内の溝構造を使用することができるが、例えば歯構造と嵌合するインプラントの鍔部上の適宜な非円形の形状を使用することもできる。
【００２４】
好適な構成形態によれば、スキャン体を使用した口外あるいは口内３Ｄスキャンに基づいて歯科補綴部材の所要の形状を決定することができ、前記スキャン体の円筒形状が初期状態（モデル）の３Ｄ（スキャン）データとしての判定および伝達を可能にするための傾斜面あるいは球形の基準面を備える。そのためスキャン結果がＣＡＤ装置に伝送され、そこで隣接歯の形状に基づいて所要の歯科補綴部材に対して作成すべき補綴の仮想形状を形成するとともにそれを（場合によって使用者の操作後に）仮想的にインプラントとアバットメントと歯構造に分割する。
【００２５】
ここでアバットメントとして全ての任意のメソ構造、すなわちインプラントと歯構造の間に延在する任意の構造（上部構造とも呼称される）が理解されるが、その際基本的に単一部品型、または複数部品型のアバットメント−歯構造を実現可能であることが理解される。
【００２６】
アバットメントの管部分の外面が任意の適宜な方式で接着剤のための排出路を備えることが可能であり、それが必要に応じて回転防止要素、すなわち適宜な溝あるいはその他の雌型と組み合わせ可能であることが理解される。その点に関して、アバットメントの管部分と鍔部の間の接続部上のチャネリングの実現が極めて好適である。そのチャネリングは通常装置領域の外側、すなわちアバットメントが歯構造上に接合する領域の外側にあり、従ってより小さな面圧力に曝される。余分な接着剤は、縦方向あるいは環状の窪みを適宜に形成することによって適宜な方式で排出することができる。
【００２７】
そのチャネリングに続いてアバットメントの鍔部が実質的に垂直方向外側に延在し、それが０．１ｍｍないし１ｍｍ、０．１ｍｍないし２ｍｍ、および０．１ｍｍないし０．５ｍｍとすることができる極めて小さな軸方向の高さを有する。そのことが、解剖学的に有利な方式によるエマージェンスプロファイルへの適合を可能にする。
【００２８】
その他の詳細、特徴ならびに利点は、添付図面を参照しながら以下に説明する複数の実施例の説明によって明らかにされる。
【図面の簡単な説明】
【００２９】
【図１】本発明に係る歯科補綴部材を示した概略立体図である。
【図２】図１の実施形態を示した断面図である。
【図３】図１の本発明に係る歯科補綴部材の変更された実施形態を示した説明図である。
【図４】図３の実施形態を示した断面図である。
【図５】本発明に係る歯科補綴部材の別の変更された実施形態を示した立体図である。
【図６】図５の実施形態を示した断面図である。
【図７】本発明に係る歯科補綴部材の別の実施形態を示した側面図である。
【図８】図７の実施形態を示した断面図である。
【図９】図７および図８の実施形態を示した断面図である。
【図１０】本発明に関して重要な部分が含まれた本発明に係る歯科補綴部材製造装置を概略的に示した説明図である。
【図１１】本発明に関して重要な部分が含まれた本発明に係る歯科補綴部材製造装置の変更された実施形態を概略的に示した説明図である。
【発明を実施するための形態】
【００３０】
図１には歯科補綴部材の一部としてアバットメント１０が示されており、それが歯構造（図２参照）を形成するためにインプラントと結合可能になっている。
【００３１】
アバットメント１０はインプラント接続部１２を備えており、それが回転ずれしないようにインプラントを支承可能になっている。そのように実現される回転防止機能は例えば六角形の外形あるいは六角形の内形によって達成することができる。
【００３２】
インプラント接続部１２の上方に鍔部１４が形成され、それが極めて大きな半径（図２参照）をもって前記インプラント接続部１２に接続する。前記鍔部１４は極めて鋭角に延在していて上方で内径１６をもって終わっており、それがインプラント接続部１２に対する半径と比べてさらに顕著に小さいものとなる。
【００３３】
鍔部１４に続いてそこから出発する管部分１８あるいはアバットメントの上部領域が延在する。この管部分１８は中央窪み部２０を備え、それがインプラントネジ（図８参照）を受容するために適する。前記管部分１８はそれの上端方向に向かって緩やかな錐形の輪郭を備え；その錐形角度が例えば３°とされる。
【００３４】
インプラントと歯構造の相互間の回転防止機能を提供するためにアバットメント１０が周囲方向に均等に配置された複数の溝２２を備え、それが上方に向かって開口するとともに下方ではチャネリングによって閉鎖され垂直に延在する。
【００３５】
図２により、どのような方式によって歯構造２８が管部分１８に接続し得るかが示される。図２に概略的に示されるように、歯構造２８と一方で鍔部１４、他方で管部分１８の間に接着間隙３０が延在する。歯構造２８は棒部材を備えていて、それが内側方向に指向するとともに回転防止機能を確保するために管部分１８の溝２２内に嵌合するように設計される。
【００３６】
図２によれば、原則的にインプラントが複数の異なった長さで存在し得ることも理解される。図示された３つの異なった長さは専ら管部分１８の高さにおいて相異しており、インプラントのその他の形状には差異は見られない。
【００３７】
全ての型“Ｌ”，“Ｍ”および“Ｓ”ついて、末端半径（円形部）３２をもって終止している点が共通である。それによって歯構造２８に対するノッチ効果が防止される。
【００３８】
さらに、本発明に係る選択装置（図１０）が歯構造２８の大きさおよび形状に依存して適合する型を選定する。必要に応じてさらに、ＣＡＤ／ＣＡＭ装置（図１０）を介して所要の正確な管部分１８の高さを設定することによって微調節が可能である。
【００３９】
高さ調節および選択は歯の種類固有でも実施され：前歯が通常幾分細身かつ高いことに対して、臼歯は隣接側あるいは頬側／舌側方向に歯科材料を有する。
【００４０】
咀嚼応力によって誘引される剪断力は臼歯において相当により大きくなるが、管部分１８を包囲する領域のより大きな壁厚のため臼歯はより安定し、従って管部分１８内のより大きな面圧接が可能になる。図示された実施例において溝２２の深さが管部分１８の壁厚の約半分となり、その際必要に応じて選択装置が前歯に対して低減された壁厚、例えば０．６ｍｍの代わりに０．５ｍｍの壁厚を有するアバットメントを選択し得ることが理解される。それによって歯構造の壁厚をさらにいくらか拡大することができる。
【００４１】
本発明によれば、既に確定した結果、すなわち確定的に製造すべき歯科補綴部材に基づいて選択装置が自動的に適切なアバットメントを選定し、それを患者固有に調整し、例えばその高さを削減する等によって適合させることが好適である。
【００４２】
図８に示されるようにアバットメントがインプラントに対して形状互換性を有することが理解される。
【００４３】
アバットメントの選定に際して選択装置は高さが歯高と同等あるいはそれ以上であるアバットメントを選択し、従って場合によって必要となる切削加工のために常に充分な材料が存在する。
【００４４】
その際本発明によれば、切削加工あるいはフライス加工に際しても末端円形部３２が略自動的に形成されるかあるいは保持されることが重要である。
【００４５】
その際歯科補綴部材製造装置は、さらに少なくとも歯構造２８の内部構造を、適宜な方式によってかつ選択装置の選択結果および歯科補綴部材の製造のために使用されるアバットメント１０の形状にも適合させて製造する。
【００４６】
歯構造２８の外形は既に３Ｄスキャンを介した患者の口内状況の走査に基づいて決定することができるため、スキャン結果が製造すべき歯科補綴部材の隣接歯の形状に基づいて生成すべき補綴の仮想形状を形成して同時にその形状のインプラント、アバットメント、および歯構造への分配を実行することも可能かつ極めて好適である。
【００４７】
その際製造装置は、歯科補綴部材の種類に従って所定数のアバットメントサイズを備えているアバットメントライブラリを参照し得ることが好適であり、その際製造装置はサイズに従って受容すべき応力も考慮し、それに基づいて選択装置がアバットメントを選定する。
【００４８】
その際歯構造の咬合面の高さを考慮することも好適であり、すなわちアバットメントの上端と前記咬合面の間で充分な歯科材料、すなわち例えばセラミックが使用可能になるようにまでアバットメントを短縮するかあるいは選択装置によってより短い形状に選定することが理解される。
【００４９】
溝２２あるいは複数の溝２２は、アバットメント１０の管部分１８の高さの相当な領域にわたって延在することが好適である。
【００５０】
複数の溝２２を備える場合回転トルクを伝動するために利用可能な面積が唯１本の溝を設ける（図３および図４参照）場合に比べてより大きくなり、従って図２に示されるように管部分１８の高さの一部包囲でも充分になる。より小さな高さあるいは“Ｓ”に従ったより強度の短縮に際しても溝２２の高さの一部が回転防止機能のために利用可能となる。
【００５１】
一方図３により唯１本の溝２２を備えたアバットメント１０の実施形態が示されている。図４に示されるようにその溝は鍔部１４まで延在し、従って管部分１８を強度に短縮した場合でも充分な回転トルク作用面が利用可能となる。
【００５２】
グルーブ（溝２２）はそれぞれ末端円形部あるいはチャネリングを備え、それによってアバットメントの硬度分断が防止される。
【００５３】
管部分の壁厚は鍔部１４から始まって末端円形部３２まで一定とするか、僅か、例えば１０％ないし１５％縮小させることができ、その際管部分１８の内径はインプラントネジの窪み２０内で頭部と共に切除しなければならないため全高にわたって一定であることが理解される。
【００５４】
周知の方式によってアバットメント１０は鍔部あるいはそのすぐ上の領域内に内側錐形部３４を有し、それに対してインプラントネジのヘッドが接合する。
【００５５】
図５には、さらに変更された構成が示されている。この解決方式によれば回転防止機能は鍔部１４の領域内の溝２２によって達成され、他方管部分１８には溝あるいはグルーブ（溝２２）が存在しない。
【００５６】
図５および図６には２本の溝２２あるいはグルーブ１８のみが鍔部１４の領域内に示されているものの、回転トルクの伝達のために適した面積を最大化するために多数の適宜な溝を設ければ好適であることが理解される。
【００５７】
図７には、アバットメントがインプラント内にネジ付けられた位置でいくらか拡大して示されている。鍔部１４とインプラント４０の上端の間の領域は、適宜なエマージェンスプロフィルを形成するために周知の方式によって歯科用セメントによって平滑化され；ここで鍔部１４の小さな高さのため広範囲の患者固有の調節が可能になる。
【００５８】
ここで重要なことは、接着間隙３０を介してアバットメント１０と結合される歯構造２８への接続である。
【００５９】
接着間隙３０の充填材料として任意の適宜な生態互換性接着剤あるいは歯科用セメントを使用し得ることが理解される。
【００６０】
図８により、インプラントネジ４２がどのようにして窪み部２０内にねじ込み可能であるかについて示されている。ネジヘッドは例えばＴＯＲＸ構造の方向に改変されたＩＮＢＵＳ構造を備えることができ、ネジヘッド４４が放射方向に窪み部２０を略完全に埋める。
【００６１】
図９により、ネジ結合４６を形成するためにインプラントネジ４２がネジヘッド４４によりそれの錐形支承部を介してアバットメントの内側錐形部３４に接合することが示されている。そのために垂直から平坦までの肩を有するネジも考えられ、従ってインプラント４０とアバットメント１０の間に例えば相互に整合する六角面等の形式で回転防止機能５０が形成されることがさらに示されている。
【００６２】
図示されていないものの、インプラント４０が実用上において周知の方式の雄ネジ部を備えることが理解される。
【００６３】
図８により、内径１６の領域内に流出する接着剤を収容するよう作用するアンダーカット４８が形成されることが示されている。さらにこの実施形態において、場合によって実施する短縮の後にアバットメントが例えば粒子状の物質の噴射によってピーニングされる。
【００６４】
それに代えて別の変更された実施例においては、アバットメントが１色あるいは２色の被覆を備える。
【００６５】
図１０には歯科補綴部材製造装置６２の構成が概略的に示されている。
【００６６】
最初に、スキャン装置６０を介して患者の口内状況を、特に作成する歯科補綴部材の隣接歯と共に、スキャンする。従ってスキャンデータが歯科補綴部材製造装置６２内に存在する。それに基づいて歯科補綴部材製造装置６２が周知の方式によって患者の口内の状態に応じて歯科補綴部材を創造し、例えば両方の隣接歯との仮想混合形状としてあるいはその他の任意の適宜な方式によって創造する。
【００６７】
従って歯科補綴部材製造６２は歯構造２８の外形を決定し、歯科補綴部材の対合歯に対する適宜な咬合面（あるいは切端面）を形成するための高さ状態を含めて決定する。
【００６８】
従って高さ状態と位置の他に歯構造の外形が決定され、すなわち隣接側および下側／頬側方向における歯構造の寸法も決定される。それに基づいてならびにアバットメントの（必要に応じてさらにインプラントデータの）データライブラリ６４に基づいて、選択装置６６によって適宜なアバットメントが選択される。アバットメント１０は、それの高さが歯科補綴部材の仮想の内空間に適合し従って管部分１８への接合のために充分な歯科セラミック材料が利用可能になるように選択される。さらに、選択に際して歯構造の壁厚が境界条件として考慮され、例えば前歯の場合１ｍｍ超、臼歯および小臼歯の場合２ｍｍ超にされる。
【００６９】
上記の数値は、必要に応じて広範囲に調節可能であることが理解される。
【００７０】
選択装置６６はＣＡＤステーションの一部であってそれに基づいて適宜なアバットメントが決定され、それが最適化のために必要に応じてさらに短縮される。そのためにＣＡＭ装置６８が作用し、その装置が場合によって生じる成形工程を担当するとともに、特にいずれもアバットメントの末端円形部３２も自動的に同時形成する。
【００７１】
さらに、選択装置６６はＣＡＭ装置６８によって製造される歯構造２８の内部形状を生成するための形状データ７２も伝達する。
【００７２】
それに代えてアバットメント１０を加工するための独立したフライス工具の具現も可能であることが理解される。
【００７３】
好適には、検査ステップにおいて同時に歯構造２８の内面が加工されるアバットメント１０に適合するかどうかを検査する。このことは、調節によって（接着剤を除く）あるいはスキャンによって実施することができ、そのためにもスキャン装置６０を再度使用することができる。
【００７４】
この場合も、所要の高さ状態とその時点の支承を保証するために、適合が実行されているかあるいは充分であるかを検査ステップの枠内で検査する。
【００７５】
必要であれば、後処理ステップ内において再びＣＡＭ装置６８によって後処理が実施される。
【００７６】
図１１により、歯科補綴部材製造装置６２の別の実施形態が示されている。ここでもまず、３Ｄスキャン装置６０によって作成されるスキャンデータが存在する。それに基づいてまたライブラリ６４からの形状データを使用して、選択装置６６を介してアバットメント１０の形状を決定するだけでなく、歯構造２８の外形も決定する。それらと共に、相互に適合するデータが、アバットメント１０においてはさらに管部分１８の高さについても、対応する製造装置に供給され、アバットメント１０はその高さに関して必要に応じて“Ｌ”、“Ｍ”、あるいは“Ｓ”に短縮される。同時に対応する半径に丸み付けされる。それに合わせて歯構造２８の内部構造が決定されてＣＡＤ／ＣＡＭによって作成され、勿論同時に外部構造も作成される。
【００７７】
それによって歯科補綴部材を形成するために仕上げられた部品が存在する。次にそれらがステップ７４において組み合わされ、その際歯構造２８がアバットメント１０上に接着される。
【００７８】
その後検査ステップならびに必要に応じて後処理ステップ７０において検査および必要に応じて後処理が実施され、例えば製造された歯構造２８の臼歯の咬合面上の咬合不良箇所の削除が実施される。
【図１】
2017516560.tif 000003
【図２】
2017516560.tif 000004
【図３】
2017516560.tif 000005
【図４】
2017516560.tif 000006
【図５】
2017516560.tif 000007
【図６】
2017516560.tif 000008
【図７】
2017516560.tif 000009
【図８】
2017516560.tif 000010
【図９】
2017516560.tif 000011
【図１０】
2017516560.tif 000012
【図１１】
2017516560.tif 000013
【手続補正書】
【提出日】平成27年11月30日(2015.11.30)
【手続補正１】
【補正対象書類名】特許請求の範囲
【補正対象項目名】全文
【補正方法】変更
【補正の内容】
【特許請求の範囲】
【請求項１】
歯科補綴部材がインプラント（４０）とそのインプラント（４０）に対して形状互換性のアバットメント（１０）を備えていて、そのアバットメント上にあるいはアバットメントに接してＣＡＭ支援、高速プロトタイピング、あるいはプレス技術によって製造された歯科材料製、特にセラミックおよび／または樹脂製の歯構造（２８）が固定可能であり、その際前記アバットメントが解除可能な結合、特にネジ結合（４４）を介して前記インプラント（４０）上に支承され、前記解除可能な結合が回転防止機能（５０）を備えてなり、またアバットメント（１０）と歯構造（２８）の間に回転防止機能（溝２２）が形成されてなる、歯科補綴部材製造装置であり、前記回転防止機能がアバットメント（１０）（４，１４，２２）の円筒形あるいは錐形状の領域にその領域の高さの少なくとも一部にわたって延在する少なくとも１本のグルーブ（溝２２）を形成するものであり、その際前記グルーブが特にアバットメント（１０）（５，１５，２１）の末端円形部あるいは末端傾斜上で終了し、それら末端円形部あるいは末端傾斜が領域の短縮に際しても形状一致式に保持可能であり、またアバットメントの選択装置（６６）を備え、その選択装置を介してアバットメント（１０）を、場合によってその高さを所与の数値まで患者固有に短縮した後、歯科補綴部材の製造のために選定可能であり、さらに前記アバットメント（１０）の短縮のために加工工具、特にフライス工具、あるいはＣＡＭ装置を備えてなることを特徴とする歯科補綴部材製造装置。
【請求項２】
選択装置（６６）がアバットメント（１０）の管部分（１８）の所与の数の高さ、特に３つの高さ（“Ｌ”，“Ｍ”および“Ｓ”）を呼び出し、その高さを歯構造（２８）に合わせて、特に自動的に、選択することを特徴とする請求項１記載の歯科補綴部材製造装置。
【請求項３】
選択装置（６６）を介し歯科補綴部材に対して直径および型式に関してインプラント（４０）および歯構造（２８）に適合するとともに高さに関しては標準の高さと同等かあるいはそれより大きなものであるアバットメント（１０）を選択可能であり、また選択装置（６６）が選択されたアバットメント（１０）の患者固有の高さに係る形状データをＣＡＭ装置に伝送可能であることを特徴とする請求項１記載の歯科補綴部材製造装置。
【請求項４】
場合によって設定されるアバットメント（１０）の高さの短縮が２ないし５個、好適には２ないし３個の標準化された長さで実施可能であり、従ってアバットメント（１０）は標準化された高さ短縮の後に変更されていない最大高、１つあるいは複数の中間高、あるいは最少高で存在することを特徴とする請求項１または２記載の歯科補綴部材製造装置。
【請求項５】
製造装置が歯構造（２８）を仕上げ加工するためのＣＡＭ装置を備え、作成される歯構造（２８）のデータをそれの外部形状のデータおよび適合するアバットメント（１０）のデータから計算してＣＡＭ装置に伝送することを特徴とする請求項１ないし４のいずれかに記載の歯科補綴部材製造装置。
【請求項６】
傾斜あるいは球形の基準面を有する円筒形の形状からなるスキャン体の支援による口外あるいは口内の３Ｄスキャンに基づいて所要の歯科補綴部材の形状が決定され、そのためにスキャン結果をＣＡＤ装置に伝達し、そのＣＡＤ装置が必要な歯科補綴部材に対する隣接歯の形状に基づいて作成すべき補綴の仮想形状を形成し、それを、場合によって使用者の介入後に、インプラント（４０）とアバットメント（１０）と歯構造（２８）に仮想的に配分することを特徴とする請求項４記載の歯科補綴部材製造装置。
【請求項７】
上部構造としてクラウンあるいはブリッジを有する少なくとも１個の歯科補綴部材のアバットメント（１０）をそれの（特に咬合面に対する）所要の構造高さ状態に相関して選択装置（６６）によって選定可能であり、必要なアバットメント（１０）の短縮の度合が上部構造の所要の高さ状態を提供するための所与の標準高に帰還可能であり、そのように予設定された形状データをＣＡＭ装置に伝送し得ることを特徴とする請求項１ないし６のいずれかに記載の歯科補綴部材製造装置。
【請求項８】
アバットメント（１０）が歯科補綴部材の形成のために錐形あるいは円筒状の領域を備え、その領域がその領域の高さの少なくとも一部にわたって延在する少なくとも１本のグルーブを有することを特徴とする請求項１ないし７のいずれかに記載の歯科補綴部材製造装置。
【請求項９】
インプラント（４０）とそのインプラントに対して形状互換性のアバットメント（１０）を備えていて、そのアバットメント上にあるいはアバットメントに接してＣＡＭ支援、高速プロトタイピング、あるいはプレス技術によって製造された歯科材料製の歯構造（２８）が固定可能であり、その際前記アバットメントが解除可能な結合を介して前記インプラント（４０）上に支承され、前記解除可能な結合が回転防止機能（５０）を備えてなり、またアバットメント（１０）と歯構造（２８）の間に回転防止機能が形成されてなる、歯科補綴部材であり、前記回転防止機能がアバットメント（１０）（４，１４，２２）の円筒形あるいは錐形状の領域にその領域の高さの少なくとも一部にわたって延在する少なくとも１本のグルーブ（溝２２）を形成するものであり、その際前記グルーブがアバットメント（１０）（５，１５，２１）の末端円形部あるいは末端傾斜上で終了し、それら末端円形部あるいは末端傾斜が領域の短縮に際しても形状一致式に保持可能であることを特徴とする歯科補綴部材。
【請求項１０】
アバットメント（１０）の領域が円筒形に形成され、少なくとも１本のグルーブ（溝２２）がアバットメント（１０）の末端傾斜あるいは末端円形部から始まって領域が短縮されていない場合にその領域の高さの少なくとも７０％、好適には少なくとも８０％にわたって延在することを特徴とする請求項９記載の歯科補綴部材。
【請求項１１】
グルーブ（溝２２）あるいは複数グルーブがアバットメント（１０）の鍔部（１４）に向かって傾斜あるいは特に鍔半径をもって終了するか、またはアバットメント（１０）（１０，２０，３０）の鍔部（１４）の円形部あるいは傾斜の手前で終了することを特徴とする請求項９または１０記載の歯科補綴部材。
【請求項１２】
歯科補綴部材が異なって短縮された円筒領域（管部分１８）を有する２個あるいはそれ以上のアバットメント（１０）を備え、その際に各アバットメント（１０）が１つあるいは複数の成形フライス工具またはＣＡＭ装置によって追加的に形状一致式に所要の長さまで短縮可能であることを特徴とする請求項９ないし１１のいずれかに記載の歯科補綴部材。
【請求項１３】
アバットメント（１０）は、特に短縮の後に、特に粒子状の物質を噴射することによってピーニングし、および／またはアバットメント（１０）がセラミックあるいは樹脂、それか特に金属、特に好適にはチタンあるいはチタン合金からなることを特徴とする請求項９ないし１２のいずれかに記載の歯科補綴部材。
【請求項１４】
アバットメント（１０）は美観上のアバットメント表面を形成するために、特にＴｉＮメッキあるいは陽極酸化処理によって、また特に明るいものおよび歯色に似た色調である、単色あるいは２色の層を備え、および／またはアバットメント（１０）がラフニングされた表面を有することを特徴とする請求項９ないし１３のいずれかに記載の歯科補綴部材。
【請求項１５】
グルーブ（溝２２）は円筒領域（管部分１８）上で外に向かって円弧形に湾曲し、また円筒領域（管部分１８）上に特に末端円形部あるいは末端傾斜を備え、またグルーブ（溝２２）がアバットメント（１０）の鍔部（１４）の円形部あるいは傾斜の手前で鍔部（１４）に向かって丸み付けられた傾斜をもって終了し、さらに鍔部が円筒領域（管部分１８）上および／またはアバットメント（１０）のインプラント接続部（１２）上に少なくとも１つの丸み付け部を有することを特徴とする請求項９ないし１４のいずれかに記載の歯科補綴部材。
【国際調査報告】
2017516560.tif 000014
2017516560.tif 000015
2017516560.tif 000016
2017516560.tif 000017
2017516560.tif 000018
2017516560.tif 000019
2017516560.tif 000020
2017516560.tif 000021
2017516560.tif 000022
2017516560.tif 000023
2017516560.tif 000024
2017516560.tif 000025
2017516560.tif 000026